(57)【要約】  油圧ポンプモータのための分配器位相シフタ（３００）は油圧ポンプモータ（１）を提供され、油圧ポンプモータ（１）はポンプモータ筐体（２）およびポンプモータ中央ロータ（３）を備え、入出力分配器（４３）はポンプモータ中央ロータ（３）に内部管路の入出力角度コレクタ（４４）および外部管路の入出力角度コレクタ（８９）を提供し、その位相シフタは、入出力分配器（４３）をその長手軸を中心に決定された角度範囲に亘って回転させるために、ポンプモータの筐体（２）上に支持された位相シフト作用要素（３０１）を備える。【選択図】図２
2018507976.tif 000002
【特許請求の範囲】
【請求項１】
一方ではポンプモータ筐体（２）を、他方ではポンプモータ中央ロータ（３）を備える油圧ポンプモータ（１）を提供された油圧ポンプモータのための分配器位相シフタ（３００）であって、前記ポンプモータ中央ロータ（３）は少なくとも１つの油圧シリンダ（１４）を収納し、その中で油圧ピストン（１３）が並進して動くことができ、前記中央ロータ（３）は入出力分配器（４３）と協働し、前記入出力分配器（４３）は、前記ロータ（３）が前記ポンプモータ筐体（２）に対して回転するとき、前記油圧シリンダ（１４）が前記中央ロータの入出力内部管路（１５）を、次いで前記中央ロータの入出力オリフィス（１６）を介して、前記内部管路の入出力環状コレクタ（４４）により入出力内部管路（５７）に、次いで前記外部管路の入出力環状コレクタ（８９）により入出力外部管路（５８）に交互に関連付けて設置されるような手法で、前記内部管路の入出力角度コレクタ（４４）および前記外部管路の入出力環状コレクタ（８９）を前記ポンプモータ中央ロータ（３）に提供し、前記位相シフタ（３００）は、
・少なくともその一部が前記入出力分配器（４３）と一体型である回転に同期するための手段（３０２）に直接または間接的に作用する間、前記入出力分配器（４３）をその長手軸を中心に決定された角度範囲に亘って回転させることができるために、前記ポンプモータ筐体（２）上に直接または間接的に支持された、少なくとも１つの位相シフト作用要素（３０１）を備えることを特徴とする、分配器位相シフタ。
【請求項２】
前記位相シフト作用要素（３０１）は、複動油圧ジャック（３０５）の複動ピストン（３０６）が１つのジャックシリンダ（３０７）および２つのジャック端部（３１２）で２つのジャックチャンバ（３０８）を画定する、前記複動油圧ジャック（３０５）であり、前記２つのジャックチャンバ（３０８）の前記第１のチャンバ（３０８）は前記入出力内部管路（５７）と連通する一方で、前記第２のジャックチャンバ（３０８）は前記入出力外部管路（５８）と連通することを特徴とする、請求項１に記載の分配器位相シフタ。
【請求項３】
前記位相シフト作用要素（３０１）は、単動油圧ジャック（３０９）の単動ピストン（３１０）が１つのジャックシリンダ（３０７）および１つのジャック端部（３１２）で１つのジャックチャンバ（３０８）を画定する、前記２つの単動油圧ジャック（３０９）によって構成され、前記第１の油圧ジャック（３０９）の前記ジャックチャンバ（３０８）は前記入出力内部管路（５７）と連通する一方で、前記第２の油圧ジャック（３０９）の前記ジャックチャンバ（３０８）は、前記入出力外部管路（５８）と連通するが、前記第１の油圧ジャック（３０９）の前記単動ピストン（３１０）が前記回転に同期するための手段（３０２）を介して前記入出力分配器（４３）を第１の方向に同期させることができる一方で、前記第２の油圧ジャック（３０９）の前記単動ピストン（３１０）は、前記回転に同期するための手段（３０２）を介して前記入出力分配器（４３）を第２の方向に同期させることができることを特徴とする、請求項１に記載の分配器位相シフタ。
【請求項４】
前記位相シフト作用要素（３０１）および／または前記回転に同期するための手段（３０２）は、前記作用要素（３０１）の少なくとも１つの伸縮バネ（３１１）と協働することを特徴とする、請求項１に記載の分配器位相シフタ。
【請求項５】
前記ジャックチャンバ（３０８）は、一方では前記ジャック端部（３１２）上に、他方では前記複動ピストン（３０６）または前記単動ピストン（３１０）上に、直接または間接的に支持された前記作用要素（３０１）の少なくとも１つの伸縮バネ（３１１）を収納することを特徴とする、請求項２または３のいずれか１項に記載の分配器位相シフタ。
【請求項６】
前記位相シフト作用要素（３０１）は、ウォームネジ（３０３）を回転に同期させることができる電動モータ（３２２）である一方で、前記回転に同期するための手段（３０２）は前記入出力分配器（４３）と一体型のウォームクラウンホイール（３０４）によって構成され、前記入出力分配器（４３）の上で前記エンドレスウォーム（３０３）が咬合することを特徴とする、請求項１に記載の分配器位相シフタ。
【請求項７】
前記回転に同期するための手段（３０２）は、前記入出力分配器（４３）と一体型の位相シフトレバー（３１３）を備え、前記位相シフトレバー（３１３）は直接、または位相シフトロッカーバー（３１４）の介入により前記位相シフト作用要素（３０１）に連結されることを特徴とする、請求項１に記載の分配器位相シフタ。
【請求項８】
前記回転に同期するための手段（３０２）は、前記位相シフト作用要素（３０１）により並進して動かすことができる位相シフトラック（３１５）によって構成され、前記位相シフトラック（３１５）は前記入出力分配器（４３）と一体型の歯付位相シフトホイール（３２３）と協働することを特徴とする、請求項１に記載の分配器位相シフタ。
【請求項９】
前記位相シフト作用要素（３０１）は、その少なくとも１つのジャックチャンバ（３０８）を少なくとも１つの位相シフト電動バルブ（３１７）により高圧油圧源（３１９）、または低圧油圧源（３２０）のいずれかと関連付けて設置されることが可能である、単動または複動で駆動された油圧ジャック（３１６）であることを特徴とする、請求項１に記載の分配器位相シフタ。
【発明の詳細な説明】
【技術分野】
【０００１】
本発明は、本出願者に帰属する２０１３年５月２２日に出願された仏国特許出願第３００１７７５号の主題を構成する油圧ポンプモータの改良を構成する、油圧ポンプモータのための分配器位相シフタに関する。
【背景技術】
【０００２】
本出願の主題を形成する油圧ポンプモータは、その内側に油圧シリンダが配置されたポンプモータの中央ロータを備える。油圧ピストンはこれらのシリンダの内側で動くことができる。中央ロータがポンプモータの筐体に対して回転するとき、これらのシリンダは、円筒形ステータまたは軸ステータのいずれかによって構成された入出力分配器により、内部入出力管路に、次いで外部入出力管路に交互に関連付けて設置される。この目的のために、この分配器は、内部入出力管路に連結されたこのロータの中心となる内部入出力管路角度コレクタを有し、また外部入出力管路に連結された外部入出力管路角度コレクタを有する。
【０００３】
したがってポンプモータからの油はこの分配器からこのシリンダへ、次いでこのシリンダからこのコレクタを介してこの分配器に、特に中央ロータの内部入出力管路に起因して交互に通過ができ、中央ロータの内部入出力管路は各油圧シリンダを中央ロータの入出力管路オリフィスに連結させ、中央ロータの入出力オリフィスは内部管路の入出力角度コレクタ、または外部管路の入出力角度コレクタのいずれかに面して設置されることができる。
【０００４】
本出願者に帰属する仏国特許出願第３００１７７５号において、ポンプモータの筐体に対する入出力分配器の角度位相整合は固定されることに留意されたい。次にこのポンプモータの作動条件は、特に圧力および排気量、ならびにこのポンプモータが「ポンプ」モードでまたは「モータ」モードで作動されるかにより変化することができる。作動の各条件は、油圧ポンプモータの最良の出力の基準に対して、ポンプモータの筐体に対する入出力分配器の最適な角度位相整合に対応する。
【０００５】
その結果として、入出力分配器の位相整合は、特に圧力、排気量、および「ポンプ」または「モータ」モードに応じて変化することが望ましいはずであり、そのモード下でこのポンプモータはポンプモータの出力を最適化する目的で作動する。
【０００６】
この可変の位相整合が重要であるのは、特にこのポンプモータ内に実装されたポンプモータ油が非ヌル圧縮率であることに起因する。事実、この圧縮率により、内部管路が入出力角度コレクタを備えた中央ロータのその内部入出力オリフィスを介して交代で設置される瞬間に、一方では油圧シリンダに連結された中央ロータの入出力の内部管路と、他方では内部管路または外部管路の入出力角度コレクタとの間の圧力に著しい分離が存在する際に、回復不能な仕事損失がもたらされる。
【０００７】
事実この管路がこの角度コレクタに関連付けられているとき、この管路内に広がる圧力がこのコレクタ内に広がる圧力より大きい場合は、この管路内に含有されたポンプモータ油は、ポンプモータ油の圧縮エネルギーがポンプモータの中央ロータにより有益な仕事に変換できることなく、熱の形で消散するような手法で、仕事を生成することなくこのコレクタ内で弛緩する。
【０００８】
これは、中央ロータの入出力管路がこのコネクタと関連付けて設置される瞬間に、内部管路または外部管路の入出力角度コレクタ内に広がる圧力が、中央ロータの内部入出力導管内に広がる圧力より大きい場合と同じである。
【０００９】
仏国特許出願第３００１７７５号による油圧ポンプモータの所与の圧力および排気量については、ポンプモータの筐体に対するこの角度コレクタの単一位相整合により、このポンプモータが「ポンプ」モードで作動しているときにこのポンプモータがその最良の送達をすることができる一方で、このコネクタの他の単一位相整合は、ポンプモータが「モータ」モードで作動しているときにこのポンプモータに可能な最良の送達を与える。
【発明の概要】
【発明が解決しようとする課題】
【００１０】
仏国特許出願第３００１７７５号によるポンプモータから最大送達を得るために、内部管路および外部管路の入出力角度コレクタによって占有された角度セクタは可変であることが必要であるはずであり、またポンプモータ筐体に対するこれらのコネクタの角度位置が可変であることも必要であるはずである。
【００１１】
遺憾ながら、まさにポンプモータ筐体に対してこれらのコレクタのそれぞれの角度位置が互いに独立して変化することが難しい、または不可能でさえあるように、外部管路の入出力角度コレクタによって占有された角度セクタを実際に変えることは難しい、または不可能でさえある。これは、この角度セクタが１つの同じ片によって構成された入出力分配器内に配置されるという事実に起因する。
【００１２】
一方、必要な手段が提供されることを条件として、ポンプモータ筐体に対する入出力分配器の角度位置を変えることが演繹的に可能であるはずである。仏国特許出願第３００１７７５号に提供されていないこの追加の機能は、油圧ポンプモータは、このポンプモータが「モータ」モードで作動しているときに保持されるモードと異なる「ポンプ」モードで作動されるときに、特に入出力分配器に角度位置を提供できるはずである。またこの角度位置は、その下で油圧ポンプモータが作動する圧力および／もしくは行程容積によって、またはその性質が何であれ、あらゆる他のパラメータによって決定することができる。これは、仏国特許出願第３００１７７５号によるポンプモータに対して送達および効率の実質的な増加をもたらすはずである。
【課題を解決するための手段】
【００１３】
したがって特にこのポンプモータが「ポンプ」モードから「モータ」モードに、また逆に通過するときに、仏国特許出願第３００１７７５号によるポンプモータの送達を著しく改良するために、本発明による油圧ポンプモータのための分配器位相シフタは、関与する実施形態に応じて以下のことが可能である。
・ポンプモータ筐体に対する入出力分配器の角度位置を離散的手法で変化し、その位置は少なくとも２つの値を有することができ、かつ／または
・ポンプモータ筐体に対する入出力分配器の角度位置を連続した手法で変化し、その位置は多数を想定でき、２つの極値間で無限の値さえも想定できる。
【００１４】
さらに本発明による油圧ポンプモータのための分配器位相シフタは、適度な製造原価でのこのポンプモータの実現可能性を危うくすることなく、かつ複雑なあらゆる実現化行程を使用するまたは高額な材料を使用する必要なしに、仏国特許出願第３００１７７５号によるポンプモータに一体化するために提供される。
【００１５】
仏国特許出願第３００１７７５号によるポンプモータにおけるその適用を別として、本発明による油圧ポンプモータのための分配器位相シフタは、その構成が有利にこの位相シフタを活用できるあらゆる他の油圧または空気圧ポンプモータに適用することができることが理解される。
【００１６】
本発明の他の特性は、説明および主請求項に直接または間接的に依存する従属請求項に記載されている。
【００１７】
本発明による油圧ポンプモータのための分配器位相シフタは、一方ではポンプモータ筐体を、他方ではポンプモータ中央ロータを備える油圧ポンプモータが提供され、ポンプモータ中央ロータは少なくとも１つの油圧シリンダ収納し、その中で油圧ピストンは並進して動くことができ、ポンプモータ中央ロータは入出力分配器と協働し、入出力分配器は、このロータがポンプモータ筐体に対して回転するとき、油圧シリンダが中央ロータの入出力内部管路を次いで中央ロータの入出力オリフィスを介して、内部管路の入出力環状コレクタにより入出力内部管路に、次いで外部管路の入出力環状コレクタにより入出力外部管路に交互に関連付けて設置されるような手法で、内部管路の入出力角度コレクタおよび外部管路の入出力角度コレクタをポンプモータ中央ロータに提供し、この位相シフタは、
・少なくともその一部が入出力分配器と一体型である回転に同期するための手段に直接または間接的に作用する間、この分配器をその長手軸を中心に決定された角度範囲に亘って回転させることができるために、ポンプモータ筐体上に直接または間接的に支持された、少なくとも１つの位相シフト作用要素を備える。
【００１８】
本発明による油圧ポンプモータのための分配器位相シフタは、その複動ピストンが１つのジャックシリンダおよび２つのジャック端部で２つのジャックチャンバを画定する、複動油圧ジャックである位相シフト作用要素を備え、２つのジャックチャンバの第１のチャンバは入出力内部管路と連通する一方で、第２のジャックチャンバは入出力外部管路と連通する。
【００１９】
本発明による油圧ポンプモータのための分配器位相シフタは、その単動ピストンが１つのジャックシリンダおよび１つのジャック端部で１つのジャックチャンバを画定する２つの単動油圧ジャックによって構成された位相シフト作用要素を備え、この第１の油圧ジャックのジャックチャンバは入出力内部管路と連通する一方で、この第２の油圧ジャックのジャックチャンバは入出力外部管路と連通するが、この第１の油圧ジャックの単動ピストンは、回転に同期するための手段を介して入出力分配器を第１の方向に同期させることができる一方で、この第２の油圧ジャックの単動ピストンは、回転に同期するための手段を介して入出力分配器を第２の方向に同期させることができる。
【００２０】
本発明による油圧ポンプモータのための分配器位相シフタは、位相シフト作用要素および／または作用要素の少なくとも１つの伸縮バネと協働する回転に同期するための手段を備える。
【００２１】
本発明による油圧ポンプモータのための分配器位相シフタは、一方ではジャック端部上に、他方では複動ピストンまたは単動ピストン上に、直接または間接的に支持された作用要素の少なくとも１つの伸縮バネを収納するジャックチャンバを備える。
【００２２】
本発明による油圧ポンプモータのための分配器位相シフタは、ウォームネジを回転に同期させることができる電動モータである位相シフト作用要素を備える一方で、回転に同期するための手段は入出力分配器と一体型のウォームクラウンホイールによって構成され、入出力分配器の上でウォームネジが咬合する。
【００２３】
本発明による油圧ポンプモータのための分配器位相シフタは、入出力分配器と一体型の位相シフトレバーを備える回転に同期するための手段を備え、位相シフトレバーは直接、または位相シフトロッカーバーの介入により位相シフト作用要素に連結される。
【００２４】
本発明による油圧ポンプモータのための分配器位相シフタは、位相シフト作用要素により並進して動かすことができる位相シフトラックによって構成され、位相シフトラックは入出力分配器と一体型の歯付位相シフトと協働する、回転に同期するための手段を備える。
【００２５】
本発明による油圧ポンプモータのための分配器位相シフタは、その少なくとも１つのジャックチャンバを少なくとも１つの位相シフト電動バルブにより高圧油圧源、または低圧油圧源のいずれかと関連付けて設置することができる、単動または複動で駆動された油圧ジャックである、位相シフト作用要素を備える。
【００２６】
以下の説明により、非制限的な例として与えられた添付図面、ならびに以下の説明が表す特徴およびそれが引き起こすことができる利点を参照して、本発明をより良く理解できる。
【図面の簡単な説明】
【００２７】
【図１】油圧ポンプモータのための分配器位相シフタを適用する油圧ポンプモータの概略断面図である。
【図２】油圧ポンプモータを具備する本発明による油圧ポンプモータのための分配器位相シフタの概略断面図であり、油圧ポンプモータの位相シフタは特に複動油圧ジャックによって構成され、複動油圧ジャックの第１のジャックチャンバはこのポンプモータの入出力内部管路と連通し、複動油圧ジャックの第２のジャックチャンバはこのポンプモータの入出力外部管路と連通する。
【図３】油圧ポンプモータを具備する本発明による油圧ポンプモータのための分配器位相シフタの概略断面図であり、油圧ポンプモータの位相シフタは特に２つの単動油圧ジャックによって構成され、単動油圧ジャックの第１のジャックはこのポンプモータの入出力内部管路に連結される一方で、単動油圧ジャックの第２のジャックはこのポンプモータの入出力外部管路に連結される。
【図４】概略断面図に示された油圧ポンプモータを具備する本発明による油圧ポンプモータのための分配器位相シフタの概略断面図であり、油圧ポンプモータの位相シフタは、特に入出力分配器と一体型のウォームクラウンホイールと協働するウォームネジの回転に同期できる電気モータによって構成される。
【図５】概略断面図に示された油圧ポンプモータを具備する本発明による油圧ポンプモータのための分配器位相シフタの概略断面図であり、油圧ポンプモータの位相シフタの回転に同期するための手段は、入出力分配器と一体型の歯付位相シフトホイールと協働する位相シフトラックによって構成される。
【図６】油圧ポンプモータを具備する本発明による油圧ポンプモータのための分配器位相シフタの概略断面図であり、油圧ポンプモータの位相シフタを、位相シフト電動バルブにより高圧油圧源または低圧油圧源のいずれかと関連付けて設置することができる、複動手法で駆動された油圧ジャックによって構成された位相シフト作用要素を備える。
【発明を実施するための形態】
【００２８】
図１〜図６に油圧ポンプモータのための分配器位相シフタ３００、その構成要素、その変形、およびその付属品の様々な詳細が示されている。
【００２９】
油圧ポンプモータのための分配器位相シフタ３００は、図１に示されたような油圧ポンプモータ１を提供され、油圧ポンプモータ１は、一方ではモータポンプ筐体２を、他方ではモータポンプ中央ロータ３を備え、モータポンプ中央ロータ３は少なくとも１つの油圧シリンダ１４を収納し、その中で油圧ピストン１３は並進して動くことができ、モータポンプ中央ロータ３は入出力分配器４３と協働し、入出力分配器４３はこのロータ３がポンプモータの筐体２に対して回転するとき、油圧シリンダ１４が中央ロータの入出力内部管路１５を次いで中央ロータの入出力オリフィス１６を介して、内部管路の入出力角度コレクタ４４により入出力内部管路５７に、次いで外部管路の入出力角度コレクタ８９により入出力外部管路５８に交互に関連付けて設置されるような手法で、内部管路の入出力角度コレクタ４４および外部管路の入出力角度コレクタ８９をモータポンプ中央ロータ３に提供する。
【００３０】
図２〜図６が示すように、本発明による油圧ポンプモータのための分配器位相シフタ３００は、少なくともその一部が入出力分配器４３と一体型である回転に同期するための手段３０２に直接または間接的に作用することにより、入出力分配器４３をその長手軸を中心に決定された角度範囲に亘って回転させることができるために、ポンプモータの筐体２上に直接または間接的に支持された、少なくとも１つの位相シフト作用要素３０１を備える。
【００３１】
入出力分配器４３が、ポンプモータの中央ロータ３の中心にポンプモータの中央ロータ３に同軸上に配置されたステータシリンダ内に、わずかな遊びを有して収納された円筒形ステータであるように、または入出力分配器４３が、このロータ３上に配置された分配面および平衡面に面する、ポンプモータの中央ロータ３の両側それぞれに軸方向に置かれた分配端部シールドおよび平衡端部シールドによって構成された軸ステータであるように、この構成は適用され、ポンプモータの中央ロータ３の端部シールドは、この中央ロータ３の中央に、中央ロータ３に同軸上に配置されたステータシリンダを介して、この中央ロータ３を軸方向に横切る中央軸ステータハブにより互いに機械的に連結されることに留意されたい。
【００３２】
回転を促進するために、入出力分配器４３を少なくとも１つの玉軸受上またはローラ上に全体もしくは一部を装着することができることに留意されたい。
【００３３】
本発明による油圧ポンプモータのための分配器位相シフタ３００の図２に示された変形によれば、位相シフト作用要素３０１は、その複動ピストン３０６が１つのジャックシリンダ３０７および２つのジャック端部３１２で２つのジャックチャンバ３０８を画定する複動油圧ジャック３０５であることが可能であり、油圧ポンプモータ１が「ポンプ」モードで作動を開始するとすぐに、複動ピストン３０６は、入出力分配器４３が第１の方向に回転するために回転に同期するための手段３０２に自然に作用する一方で、この油圧ポンプモータ１が「モータ」モードで作動を開始すると、このピストン３０６は、この分配器４３が第２の方向に回転するような方法でこの手段３０２に自動的に作用するように、第１のチャンバ３０８は入出力内部管路５７と連通する一方で、第２のジャックチャンバ３０８は入出力外部管路５８と連通することが提供されている。
【００３４】
本発明による油圧ポンプモータのための分配器位相シフタ３００の図３に示された別の変形は、位相シフト作用要素３０１を、その単動ピストン３１０が１つのジャックシリンダ３０７および１つのジャック端部３１２で１つのジャックチャンバ３０８を画定する２つの単動油圧ジャック３０９によって構成することが可能であり、この第１の油圧ジャック３０９のジャックチャンバ３０８は入出力内部管路５７と連通する一方で、この第２の油圧ジャック３０９のジャックチャンバ３０８は入出力外部管路５８と連通するが、この第１の油圧ジャック３０９の単動ピストン３１０は、回転に同期するための手段３０２を介して、入出力分配器４３を第１の方向に同期させることができる一方で、この第２の油圧ジャック３０９の単動ピストン３１０は、回転に同期するための手段３０２を介して入出力分配器４３を第２の方向に同期させることができることを提供する。
【００３５】
したがって油圧ポンプモータ１が「ポンプ」モードで作動を開始すると、第１の単動油圧ジャック３０９の単動ピストン３１０は、入出力分配器４３が第１の方向に回転するような手法で回転に同期するための手段３０２に自然に作用する一方で、この油圧ポンプモータ１が「モータ」モードで作動を開始すると、第２の単動油圧ジャック３０９の単動ピストン３１０はこの分配器４３が第２の方向に回転するような手法でこの手段３０２に作用する。
【００３６】
位相シフト作用要素３０１および／または回転に同期するための手段３０２は、作用要素３１１の少なくとも１つの伸縮バネと協働することができ、位相シフト作用要素３０１が掛けることができる拮抗力に作用要素３１１は拮抗力を掛ける。
【００３７】
図２が示すように、ジャックチャンバ３０８は作用要素３１１の少なくとも１つの伸縮バネを収納することができ、作用要素３１１は一方ではジャックの端部３１２上に、他方では複動ピストン３０６または単動ピストン３１０上に、例えば入出力内部管路５７内に広がる圧力が入出力外部管路５８内に広がる圧力と同一または同等であるときに、入出力分配器４３の角度位置がこの分配器４３の最外の角度位置に対してほぼ中心であるような手法で直接または間接的に支持される。
【００３８】
図４に示されたように本発明による油圧ポンプモータのための分配器位相シフタ３００の実施形態の変形は、位相シフト作用要素３０１が、ウォームネジ３０３を回転に同期させることができる電気モータ３２２であることが可能である一方で、回転に同期するための手段３０２は入出力分配器４３と一体型のウォームクラウンホイール３０４によって構成され、エンドレスウォーム３０３はウォームクラウンホイール３０４の上に、このクラウン３０４がその一部を決定された角度範囲に亘る回転に入出力分配器４３を同期させる回転に、このクラウン３０４を同期させるような手法で咬合することを提供する。
【００３９】
図２、図３、および図６では、回転に同期するための手段３０２は、入出力分配器４３と一体型の位相シフトレバー３１３を備えることができ、このレバー３１３は位相シフト作用要素３０１に直接、または図３に示されたように位相シフトロックバー３１４の介入によって連結されていることに留意されたい。
【００４０】
位相シフトレバー３１３が位相シフト作用要素３０１に直接連結される場合は、位相シフト作用要素３０１はポンプモータの筐体２に統合されることが好ましい一方で、このレバー３１３が位相シフトロックバー３１４の介入により位相シフト作用要素３０１に連結される場合は、この作用要素３０１はこの筐体２上に固定して装着され、この筐体２と一体型であることが好ましいことに留意されたい。
【００４１】
図５は、本発明による油圧ポンプモータのための分配器位相シフタ３００の変形として、回転に同期するための手段３０２は、位相シフト作用要素３０１によって並進して設置することができる位相シフトラック３１５によって構成されることが可能であり、位相シフトラック３１５は入出力分配器４３と一体型の位相シフト歯付ホイール３２３と協働することを示す。
【００４２】
位相シフトラック３１５をスライド、ローラ３２１により、または当業者に公知のあらゆる他のガイド手段によりポンプモータの筐体２内に誘導できることに留意されたい。
【００４３】
図６については、位相シフト作用要素３０１は、その少なくとも１つのジャックチャンバ３０８を少なくとも１つの位相シフト電動バルブ３１７により高圧油圧源３１９または低圧油圧源３２０のいずれかに関連付けることができる、単動手法で駆動された油圧ジャック３１６であることが可能であり、位相シフト電動バルブ３１７自体は位相シフト３１８を管理するためのコンピュータによって駆動されることを図６は示す。
【００４４】
この場合、入出力分配器４３および／または位相シフト作用要素３０１および／または回転に同期するための手段３０２は、位相シフト３１８を管理するためのコンピュータにポンプモータの筐体２に対する入出力分配器４３の角度位置を直接または間接的に戻す位置センサを提供されることが可能である。
【００４５】
発明の機能
本発明による油圧ポンプモータのための分配器位相シフタ３００の機能は、図１〜図６から容易に理解されよう。
【００４６】
図１は、本発明による油圧ポンプモータのための分配器位相シフタが、内部管路４４のその入出力角度コレクタが入出力内部管路５７に連結され、外部管路８９のその入出力角度コレクタが入出力外部管路５８に連結されるような手法で適用する、油圧ポンプモータ１の入出力分配器４３を示す。
【００４７】
ポンプモータの中央ロータ３が時計回りに回転するとき、ポンプモータの中央ロータ３自体はポンプモータの中央ロータ３が収納する油圧シリンダ１４を同期させることが図１から容易に推論できる。これを行っている間、油圧ピストン１３はそれぞれが、油圧ピストン１３が協働する油圧シリンダ１４内で並進して動く。
【００４８】
図１によれば、油圧ポンプモータ１が「ポンプ」モードで作動している場合、すなわち油圧ポンプモータ１が圧力下で油の出力を発生するために外部動力源によって供給された労力を使い果たす場合は、ポンプモータの中央ロータ３の軸の左に据えられたその油圧ピストン１３は、油を内部管路の入出力角度コレクタ４４の中に引き入れる。一旦引き入れられると、この油は続いて、中央ロータの入出力オリフィス１６、次いで中央ロータの入出力内部管路１５を介してこれらのピストン１３に対応する油圧シリンダ１４に結合する。そのオリフィス１６および管路１５は、この時点ではこれらのシリンダ１４を内部管路の入出力角度コレクタ４４に連結させる。
【００４９】
ポンプモータの中央ロータ３は回転し続け、これらのピストン１３はポンプモータの中央ロータ３の軸の右に移動する。この時点からこれらのピストン１３は、これらのピストン１３が先に内部管路の入出力角度コレクタ４４の中に引き入れた油を押し返し、ピストン１３が協働する油圧シリンダ１４から出す。この手法で押し戻されて、この油は続いて中央ロータの入出力内部管路１５の中に入り、次いで中央ロータの入出力オリフィス１６を通った後に外部管路の入出力角度コレクタ８９に再結合する。
【００５０】
油の流出は、入出力内部管路５７と入出力外部管路５８との間で、次いでこの内部管路５７からこの外部管路５８にこの手法で確立される。
【００５１】
その下で油圧ポンプモータ１が作動する行程容積および圧力により、また油圧ポンプモータ１が「ポンプ」モードまたは「モータ」モードのどちらで作動しているかにより、ポンプモータの筐体２に対する入出力分配器４３のこのポンプモータ１のエネルギー収率のための最も有利な位相整合は数度だけ動かされる。
【００５２】
したがって油圧ポンプモータ１にすべての環境において可能な最良の収率を与えるために、ポンプモータの筐体２に対して入出力分配器４３の位相整合を制御することが有利である。
【００５３】
これは、本発明による油圧ポンプモータのための分配器の位相シフタ３００が、入出力分配器４３をその長手軸を中心に決定された角度範囲に亘ってポンプモータの筐体２に対して位相シフト作用要素３０１の手段によって回転させることができるからである。
【００５４】
この目的のために、位相シフト作用要素３０１は入出力分配器４３と一体型の回転に同期するための手段３０２に直接または間接的に作用するために提供される。
【００５５】
図２に示された本発明による油圧ポンプモータのための分配器位相シフタ３００の実施形態によれば、ポンプモータの筐体２に対して入出力分配器４３の位相整合は、油圧ポンプモータ１が「ポンプ」モードまたは「モータ」モードのどちらで作動しているかにより自動的に変わることが理解される。事実、「ポンプ」モードまたは「モータ」モードは、入出力内部管路５７内に広がるこの圧力と入出力外部管路５８内に広がるこの圧力との差を正圧または負圧によって特徴付けられる。
【００５６】
図２は、入出力内部管路５７内に広がる圧力が入出力外部管路５８内に広がる圧力より大きい場合は、複動油圧ジャック３０５の下部ジャックチャンバ３０８内の圧力は、このジャック３０５の上部ジャックチャンバ３０８内に広がる圧力より大きくなることを示す。その結果、複動ピストン３０６は位相シフトレバー３１３に引き寄せられ、入出力分配器４３は時計回りの方向に回転する。
【００５７】
状況が逆になり（これは、油圧ポンプモータ１の「ポンプ」モードから「モータ」モードにまたはその逆にモードが変わる特徴を示し）、複動油圧ジャック３０５の下部ジャックチャンバ３０８内の下部ジャックチャンバ内の圧力がこのジャック３０５の上部ジャックチャンバ３０８内に広がる圧力より低くなる場合は、入出力分配器４３は反時計回りの方向に回転する。
【００５８】
図３は、複動油圧ジャック３０５ではなく、２つの単動油圧ジャック３０９を実装された、同じ原理を示す。この構成によってもたらされる効果は、図２に示された構成によってもたらされる効果と同様である。
【００５９】
図４、図５、および図６は入出力分配器４３の回転の同じ結果をもたらすが、この回転の方向および振幅はより分析的な手法で、または油圧ポンプモータ１に可能な最良の収率および可能な最良の効率を与えるために必要なだけのパラメータに応じて、この分配器４３の角度位置を正確に調整することができる、位相シフト３１８を管理するためのコンピュータによるマッピングデータから決定することができる。
【００６０】
本発明による油圧ポンプモータのための分配器位相シフタ３００の可能性は、説明された用途に限定されず、さらに前述の説明は例として与えられたに過ぎず、決して本発明の範囲を限定せず、本発明は説明された実行の詳細をあらゆる他の等価物に交換することによって逸脱することはないことを理解されたい。
【図１】
2018507976.tif 000003
【図２】
2018507976.tif 000004
【図３】
2018507976.tif 000005
【図４】
2018507976.tif 000006
【図５】
2018507976.tif 000007
【図６】
2018507976.tif 000008
【国際調査報告】
2018507976.tif 000009
2018507976.tif 000010
2018507976.tif 000011
2018507976.tif 000012
2018507976.tif 000013
2018507976.tif 000014